(57)【特許請求の範囲】
【請求項１】
複数枚のシート材が積載可能な載置台と、前記載置台に載置したシート材を一対の圧接部材により一枚ずつ分離する分離手段と、前記シート材を給送する給送手段と、前記一対の圧接部材の圧接を解除するための圧解除手段と、前記載置台に載置されたシート材の先端を規制する位置と該規制を解除する位置とに前記給送手段の回転動作に連動して移動するよう構成された規制手段と、前記規制手段の移動に連動して回動する梃子部材と、を有するシート材給送装置であって、
前記圧解除手段により前記一対の圧接部材を圧解除した状態で一枚のシート材の給送が終了した後、前記圧解除手段に作用して前記一対の圧接部材を圧接状態に戻す復帰手段を前記規制手段と前記梃子部材とにより構成し、
前記給送手段を構成する回転体はシート材給送後に逆回転可能に構成され、
前記復帰手段は、前記規制手段のシート材の先端を規制する位置への移動のための前記回転体の逆回転動作に連動して前記梃子部材が前記圧解除手段に作用することを特徴とするシート材給送装置。
【請求項２】
請求項１に記載のシート材給送装置において、
前記圧解除手段は圧解除位置と圧接位置とに移動可能に構成され、該圧解除手段は該圧解除位置に移動したところで係止され、この係止が前記復帰手段によって解除されると、該圧接位置に戻ることを特徴とするシート材給送装置。
【請求項３】
請求項２に記載のシート材給送装置において、
前記圧解除手段を前記圧接位置に戻すバネ部材を有することを特徴とするシート材給送装置。
【請求項４】
請求項２に記載のシート材給送装置において、
前記圧解除手段が前記圧解除位置にある時、該圧解除手段の一部が前記一対の圧接部材の一方に係合することで前記一対の圧接部材の一方を圧解除方向に移動させることを特徴とするシート材給送装置。
【請求項５】
請求項１に記載のシート材給送装置において、
前記分離手段は、分離ローラとこれに圧接する分離パッドからなることを特徴とするシート材給送装置。
【請求項６】
請求項５に記載のシート材給送装置において、
前記分離ローラのシート給送方向上流側に当接される予備圧接部材が設けられたことを特徴とするシート材給送装置。
【請求項７】
請求項１に記載のシート材給送装置において、
前記梃子部材は、前記圧解除手段に回動自在に取り付けられていることを特徴とするシート材給送装置。
【請求項８】
読取対象のシート材を給送するシート材給送装置と、給送された前記シート材の画像を読み取るための読取手段とを備えた画像読取装置において、
前記請求項１ないし請求項７のいずれか１項に記載のシート材給送装置を用いたことを特徴とする画像読取装置。
【請求項９】
記録対象のシート材を給送するシート材給送装置と、給送された前記シート材上に画像を形成する画像形成手段とを備えた画像形成装置において、
前記請求項１ないし請求項７のいずれか１項に記載のシート材給送装置を用いたことを特徴とする画像形成装置。
【発明の詳細な説明】
【０００１】
【発明の属する技術分野】
本発明は、シート材を一枚ずつ給送するシート材給送装置に関し、詳細には、例えば複写機、ファクシミリ装置、プリンタ、スキャナ等の画像形成装置に用いられるシート材給送装置に関するものである。
【０００２】
【従来の技術】
従来、ファクシミリ装置等の画像形成装置において、画像を読み取る画像読取部に対して原稿を一枚ずつ順次給送する分離給送部は、載置台上の原稿を給送する分離ローラに圧接して該原稿を分離する分離パッドの圧接の解除が可能な構成となっており、複数枚の原稿をセットして一枚ずつ送る複数枚送りの場合は前記分離パッドの圧接を解除せず、一方、一枚の原稿をセットして送る一枚送りの場合は前記分離パッドの圧接を解除できるようになっている。そして、この分離パッドの圧接及び圧解除は手動で行うようになっている。
【０００３】
【発明が解決しようとする課題】
しかしながら、上記従来例では、原稿の一枚送りをする際に分離パッドの圧接を解除し、この圧解除した分離パッドを圧接位置へ戻し忘れた状態で複数枚の原稿をセットし、これを給送してしまうと、該複数枚の原稿が全部一度に搬送されてしまうという問題があった。また、その際に、原稿ジャムなど原稿搬送系に不具合が生じてしまうおそれがあった。
【０００４】
そこで、本発明の目的は、圧解除した分離手段の圧接位置への戻し忘れを防止し、搬送不良等の不具合の発生を防止することにある。
【０００５】
【課題を解決するための手段】
上記目的を達成するための本発明の代表的な構成は、複数枚のシート材が積載可能な載置台と、前記載置台に載置したシート材を一対の圧接部材により一枚ずつ分離する分離手段と、前記シート材を給送する給送手段と、前記一対の圧接部材の圧接を解除するための圧解除手段と、前記載置台に載置されたシート材の先端を規制する位置と該規制を解除する位置とに前記給送手段の回転動作に連動して移動するよう構成された規制手段と、前記規制手段の移動に連動して回動する梃子部材と、を有するシート材給送装置であって、前記圧解除手段により前記一対の圧接部材を圧解除した状態で一枚のシート材の給送が終了した後、前記圧解除手段に作用して前記一対の圧接部材を圧接状態に戻す復帰手段を前記規制手段と前記梃子部材とにより構成し、前記給送手段を構成する回転体はシート材給送後に逆回転可能に構成され、前記復帰手段は、前記規制手段のシート材の先端を規制する位置への移動のための前記回転体の逆回転動作に連動して前記梃子部材が前記圧解除手段に作用することを特徴とする。
【０００６】
上記構成によれば、圧解除手段による分離手段の圧解除状態で行われるシート材の一枚送りが終了した後の、該分離手段の圧接位置への戻し忘れを防止することができ、該戻し忘れを原因とするシート材の搬送不良等の不具合を防止することができ、装置の使い勝手、品質が飛躍的に向上する。
【０００７】
【発明の実施の形態】
以下、図面を参照して、本発明を適用したシート材給送装置の実施の形態について具体的に説明する。尚、以下の説明では、複写機、ファクシミリ装置等の画像形成装置におけるシート材給送装置を例示している。
【０００８】
〔第１実施形態〕
第１実施形態に係るシート材給送装置及び画像形成装置について図面を参照して詳しく説明する。尚、本実施形態では、画像形成装置としてファクシミリ装置を例示し、本発明を適用したシート材給送装置として、ファクシミリ装置の画像読取部における原稿搬送部を例示している。
【０００９】
以下、説明の順序としては、先ず画像形成装置としてのファクシミリ装置の概略構成について説明し、次に本発明を適用したシート材給送装置としての原稿搬送部の構成及び動作について説明する。
【００１０】
先ず、図１２を参照してファクシミリ装置の概略構成について説明する。図１２は本実施形態に係るファクシミリ装置の概略構成を示す模式断面図である。図１２において、１は装置本体であって、読取対象のシート材としての原稿Ｓの画像を読み取る画像読取部２と、記録対象のシート材としての記録紙Ｐに画像を記録する画像記録部１０とにより構成されている。
【００１１】
前記画像読取部２は、複数枚の原稿Ｓが載置可能な原稿載置台８ａを有する上面カバー８と、該原稿Ｓの画像を読み取る読取手段としての密着型イメージセンサ４と、該密着型イメージセンサ４に原稿Ｓを押圧する原稿押圧手段５と、前記原稿載置台８ａ上に載置された原稿Ｓを一枚ずつ順次給送し前記密着型イメージセンサ４を介して搬出する原稿搬送部３と、該原稿Ｓの搬送経路を形成する上原稿ガイド６及び下原稿ガイド７を有している。
【００１２】
前記原稿載置台８ａを有する上面カバー８は、後述するカートリッジの交換やジャム処理が容易に行えるように、装置本体１に対して開閉可能に取り付けられている。また前記原稿載置台８ａには原稿Ｓの搬送方向と直交する幅方向にスライド可能なスライダ８ｂが設けられており、該スライダ８ｂにより原稿載置台８ａ上に載置された原稿Ｓの両端を揃えることができるようになっている。
【００１３】
また読取手段としての密着型イメージセンサ４は、光源としてのＬＥＤアレイから原稿Ｓの画像情報面に光を照射し、該画像情報面を反射した反射光（画像光）をセルフォックレンズ（登録商標）でセンサ素子に結像して画像情報を読み取るものである。
【００１４】
尚、本発明を適用したシート材給送装置としての原稿搬送部３については、後で詳しく説明する。
【００１５】
前記画像記録部１０は、記録対象のシート材としての記録紙Ｐを積載する記録紙積載部２３と、該記録紙積載部２３から記録紙Ｐを一枚ずつ順次給送する記録紙給送部１２と、給送された記録紙Ｐに画像を記録形成する画像形成部１１と、該画像形成部１１に画像情報としてのレーザー光（画像光）を照射するレーザースキャナ１３と、読取終了後に排出される原稿Ｓ及び記録終了後に排出される記録紙Ｐを積載保持する共用排出トレイ１９と、記録後にＵターン排出される記録紙Ｐを積載保持する記録紙排出台１８と、搬送される記録紙Ｐを案内支持する搬送ガイド１７を有している。
【００１６】
前記記録紙給送部１２は、給送が開始されると、前記分離ローラ１２ｂに圧接された記録紙Ｐが、該分離ローラ１２ｂとこれに圧接する分離パッド１２ａによって一枚ずつに分離された後、搬送ローラ１２ｃとこれに圧接して従動回転する搬送コロ１２ｄにより、画像形成部１１にて形成された画像（トナー像）の先端と記録紙Ｐの先端が一致するようにタイミングを合わせて、該画像形成部１１の感光体ドラム１１ａと転写手段１１ｆとの間に搬送される。
【００１７】
前記記録紙積載部２３には記録紙Ｐの搬送方向と直交する幅方向にスライド可能なスライダ２１が設けられており、該スライダ２１により記録紙積載部２３上に載置された記録紙Ｐの両端を揃えることができるようになっている。
【００１８】
尚、記録紙積載部２３は複数枚の記録紙Ｐを積載することが可能となっており、本実施形態では、記録紙セット可能枚数を約１００枚程度としている。更に、積載セット可能な記録紙のサイズはＡ４サイズ、レターサイズ、リーガルサイズの３種類としている。
【００１９】
しかしながら、本発明は、記録紙セット可能枚数及び積載セット可能な記録紙のサイズが上記のものに限定されるものではなく、必要に応じて適宜構成すれば良い。
【００２０】
前記画像形成部１１では、先ず、画像信号に基づいてレーザースキャナ１３のレーザービーム発信器１３ａから画像信号であるレーザー光が射出される。このレーザー光はポリゴンミラー１３ｂ及び折り返しミラー１３ｃによって画像形成部１１の感光体ドラム１１ａに照射され、該感光体ドラム１１ａの表面に画像が形成される。
【００２１】
画像形成部１１において、感光体ドラム１１ａは、これに作用するプロセス手段としての帯電手段１１ｂ、現像手段１１ｃ、クリーニング手段１１ｄと共に枠体内に組み込まれてプロセスカートリッジ１１ｅを構成し、該プロセスカートリッジ１１ｅは装置本体１に対して着脱自在に構成されている。従って、前述した画像形成時には帯電手段１１ｂにより均一に帯電された感光体ドラム１１ａの表面にレーザースキャナ１３からレーザー光が照射されて潜像が形成され、該潜像が現像手段１１ｃから供給されるトナーによって顕像（トナー像）化されるようになっている。
【００２２】
また、前記画像形成部１１において、感光体ドラム１１ａ周辺部には、該ドラム表面に形成されたトナー像を記録紙Ｐに転写するための転写手段１１ｆが配置されており、更に感光体ドラム１１ａよりも下流側の記録紙搬送経路には転写されたトナー像を記録紙Ｐに定着させるための定着手段１４が配置されている。尚、図中、１５，１６は排出ローラ対である。
【００２３】
従って、記録紙積載部２３から画像形成部１１にタイミングを合わせて給送された記録紙Ｐは、前記転写手段１１ｆにより感光体ドラム１１ａ表面に形成されたトナー像が転写された後、搬送ガイド１７に沿って定着手段１４に搬送され、該定着手段１４により前記トナー像が定着されて、排出ローラ対１５により共用排出トレイ１９に或いはＵターンパスを介して排出ローラ対１６により記録紙排出台１８に排出されるように構成されている。
【００２４】
尚、記録中にジャムが発生した場合には、前記原稿載置台８ａを有する上面カバー８を開けることによって装置内部に滞留している記録紙Ｐを容易に取り出すことができる。
【００２５】
次に、図１〜図１１を参照して、本発明を適用した原稿搬送部３の構成及び動作について詳しく説明する。図１及び図２は画像読取部における原稿搬送部の要部斜視図、図３は原稿搬送部におけるストッパ部分の構成斜視図、図４〜図６は画像読取部における原稿搬送部の要部構成図、図７及び図８は上原稿ガイドユニットの上面図である。図９は原稿搬送部における圧解除レバーの切換部の要部構成図、図１０は分離部の圧接状態を表した断面図、図１１は分離部の圧接解除状態を表した断面図である。
【００２６】
図１、図２、図１０において、３１は分離パッド３ｂに対する圧解除手段であるところの圧解除レバーであり、分離ローラ３ａに圧接している分離パッド３ｂの圧接を解除するためのものである。分離手段を構成する分離ローラ３ａと分離パッド３ｂとで一対の圧接部材となっており、これらの作用で分離動作が行われる。圧解除レバー３１は回転中心３１ｂを中心として回動可能に構成されている。また圧解除レバー３１には、後述する規制手段の切り換えに連動して回動する梃子部材としての初期化レバー３２が回転中心３２ｂを中心に回転自在に取り付けられている。３３は規制手段としてのストッパであり、載置台８ａに載置した原稿Ｓの先端を規制するためのものである。そして、この規制手段としてのストッパ３３と、梃子部材としての初期化レバー３２とを、前記圧解除レバー３１に作用して前記一対の圧接部材を圧接状態に戻す復帰手段として用いている。尚、この規制手段としてのストッパ３３と、梃子部材としての初期化レバー３２とは、後述する係止解除手段を構成している。３ｃは給紙コロ、３ｄは給紙ローラで、これらの回転体で給送手段が構成される。３ｈは予備圧接部材としての予備圧接アームであり、分離パッド３ｂの幅方向両側でかつシート搬送方向上流側で分離ローラ３ａに当接するように配置されている。３ｊは分離パッド３ｂを保持する分離パッドホルダであり、分離パッド３ｂとともに移動可能に構成されている。
【００２７】
図７に示す位置が前記圧解除レバー３１の初期位置であり、即ち分離パッド３ｂが圧接されている時の位置である。ここで、使用者が操作部３１ｃを持ち、圧解除レバー３１を図７中矢印ａ方向に移動すると、図８に示すようになり、分離ローラ３ａに圧接している分離パッド３ｂの圧接が解除された状態となる。この時、圧解除レバー３１はバネ３４により図８中矢印ｄ方向に戻る力を受けている。尚、本実施形態では、バネ３４として引張バネを用いた場合を例示しているが、これに限定されるものではなく、例えば圧縮バネ、板バネなどを用いても良いことは言うまでもない。
【００２８】
図７及び図８のＡ視図である図９で見ると、図９（ａ）に示す状態が分離パッド３ｂが圧接された状態である圧解除レバー３１の初期位置であり、図９（ｂ）に示す状態が分離パッド３ｂの圧接が解除された状態である。圧解除位置へ移動された圧解除レバー３１は、図９（ｂ）に示すように、上原稿ガイド６に設けられた係止部材としての突起部６ａに係止され、バネ３４の復元力に抗して該圧解除位置にロックされた状態となっている。そして、この図９（ｂ）に示す如き状態から、圧解除レバー３１が初期化レバー３２により図９中矢印ｅ方向の力を受けると、圧解除レバー３１が前記上原稿ガイド６の突起部６ａから外れ、バネ３４の復元力によって図９中矢印ｄ方向に戻る構成となっている。このように、前記上原稿ガイド６の突起部６ａによって圧解除位置に係止された圧解除レバー３１を、給紙コロ３ｃの逆回転動作に連動して圧接位置（初期位置）に移動させる移動手段は、前述した規制手段としてのストッパ３３と梃子部材としての初期化レバー３２とからなる係止解除手段と、該係止解除手段によって係止解除された圧解除レバー３１を圧接位置に戻すバネ３４とにより構成される。
【００２９】
また図２を見てわかるように、圧解除レバー３１を図２（ａ）の矢印ａ方向に動かすと、該圧解除レバー３１は図２（ｂ）の矢印ｂ方向に移動し、圧解除レバー３１の係合部３１ａの斜面部が分離パッドホルダ３ｊの係合部３ｊａを図２（ｂ）の矢印ｃ方向に持ち上げることで、分離ローラ３ａに対する分離パッド３ｂの圧接が解除される。尚、この時、分離ローラ３ａに対する分離パッド３ｂの圧接は解除されるが、予備圧接アーム３ｈは分離ローラ３ａに圧接されたままの状態となっている。図１１は、分離パッド３ｂの圧接が解除された状態を表した図である。分離パッドホルダ３ｊと分離パッド３ｂは、分離ローラ３ａから離れているが、予備圧接アーム３ｈは圧接されたままである。
【００３０】
次に図３〜図６を用いて、分離パッド３ｂの圧解除状態からの自動初期化動作の概略を説明する。
【００３１】
ここでまず、図３を用いて、原稿の先端を規制する規制手段であるストッパ３３の規制位置や規制解除位置への移動、及び初期状態に戻す動作（初期化動作）について簡単に説明する。
【００３２】
前記ストッパ３３の初期化動作とは、原稿搬送終了後の給紙ローラ３ｄの駆動モータの逆転動作を利用してストッパ３３を下げ、該ストッパ３３をこの下げた状態で待機させる動作である。構成は、図３に示す矢印方向（搬送方向）と逆方向に回転した時に、給紙コロ３ｃの突起（開放源）３ｃａがストッパ３３の突起３３ｂ下部に突き当たり規制され、給紙ローラ３ｄと給紙コロ３ｃがすべり、ストッパ３３を下げた状態の初期状態（規制位置）に戻すようにしている。
【００３３】
一方、前記ストッパ３３の規制解除位置への移動は、給紙ローラ３ｄが原稿搬送方向に回転すると共に開放源（突起３ｃａ）付き給紙コロ３ｃが連れ回り、該給紙コロ３ｃの突起３ｃａがストッパ３３の突起３３ｂに当接し、それに従いストッパ３３が軸３３ａを支点として矢印方向（図３）に回転して上方に退避（規制解除）する構成となっている。
【００３４】
このストッパ３３の切換動作を用いて、分離パッド３ｂの圧解除状態からの自動初期化動作を行う。
【００３５】
図４は、図８と図１１で示した分離パッド３ｂの圧解除時のストッパ３３の状態を示す図である。原稿搬送が始まると、図５に示すように、給紙ローラ３ｄが矢印方向に回転し始め、それに連れ回って開放源付き給紙コロ３ｃが矢印方向に回転し、ストッパ３３が矢印ｆ方向に回転する。この時、ストッパ３３の先端が矢印ｇ方向に回転上昇し、初期化レバー３２のアーム部３２ａを持ち上げ、図６に示すように、ストッパ３３のアーム部３３ｃと初期化レバー３２のアーム部３２ａの上下関係が逆転する。
【００３６】
そして、原稿読取終了後、モータを逆転すると、給紙ローラ３ｄが図６の矢印方向に回転する。それに連れ回り開放源付き給紙コロ３ｃが矢印方向に回転し、ストッパ３３の突起３３ｂが矢印ｈ方向に回転する。この時、ストッパ３３のアーム部３３ｃが初期化レバー３２のアーム部３２ａを矢印ｉ方向に押し下げる。そして初期化レバー３２と上原稿ガイド６との当接部３２ｃを支点として、梃子の原理で圧解除レバー３１を矢印ｊ方向に押し上げる。この圧解除レバー３１の押し上げが図９（ｂ）に示す突起部６ａを越えると、前記圧解除レバー３１はバネ３４の復元力により図９（ｂ）の矢印ｄ方向に戻る構成となっている。
【００３７】
このように、非常に簡単且つ低コストな構成で、分離パッド３ｂの圧解除レバー３１の初期化（初期位置に戻す）をすることができる。これにより、圧解除レバー３１による分離パッド３ｂの圧解除状態で行われる原稿Ｓの一枚送りが終了した後の、該分離パッド３ｂの圧接位置への戻し忘れを防止することができ、該戻し忘れを原因とする原稿Ｓの搬送不良等の不具合を防止することができ、装置の使い勝手、品質が飛躍的に向上する。
【００３８】
更に、前記圧解除レバー３１は、前記分離パッド３ｂを圧解除位置へ移動したところで突起部６ａに係止固定され、この係止が解除されるとバネ３４の復元力により元の位置（初期位置）へ自動復帰するので、簡単且つ低コストで圧解除レバー３１の自動復帰を達成することができる。また、圧解除レバー３１は元の位置である待機位置（分離パッド３ｂの圧接位置）では前記バネ３４による力を殆ど受けていないため、クリープ変形などのおそれもない。
【００３９】
更に、前記ストッパ３３の切り換えに連動して回動する初期化レバー３２を介して前記圧解除レバー３１の係止を解除することで、前記分離パッド３ｂが圧接位置へ自動復帰するので、即ち梃子の原理を用いて前記圧解除レバー３１が元の位置（初期位置）へ自動復帰するので、小さな動力で大きな力を発生し、自動復帰の原動力とすることができる。
【００４０】
図１０に示すように、画像読取部２では、原稿載置台８ａ上に原稿Ｓを積載するときに、まず圧解除レバー３１の操作部３１ｃを図７、図８のように左右に動かすことにより、複数枚送り又は一枚送りの選択をする。そして、前述の選択後に原稿載置台８ａ上に原稿Ｓをセットする。この原稿Ｓは分離ローラ３ａとこれに圧接した予備圧接アーム３ｈに挟まれる。前記原稿Ｓの先端は初期状態（規制位置）にあるストッパ３３のストップ面に突き当たり、それ以上奥には突っ込めないようになっている。
【００４１】
前述の如くして原稿Ｓがセットされた後、該原稿Ｓの搬送をスタートすると、複数枚送りの場合はストッパ３３が開放源付き給紙コロ３ｃにより開放され、前記原稿Ｓは予備圧接アーム３ｈが圧接している分離ローラ３ａにより分離パッド３ｂ部まで送られる。そして、分離ローラ３ａとこれに圧接した分離パッド３ｂにより一枚ずつ分離給送される。一方、一枚送りの場合は、分離ローラ３ａと分離パッド３ｂとの圧接が事前に解除されており、ストッパ３３が開放源付き給紙コロ３ｃにより開放され、前記原稿Ｓは予備圧接アーム３ｈが圧接している分離ローラ３ａにより給送され、給紙ローラ３ｄ部に達する。
【００４２】
前記原稿Ｓは、更に押圧バネ３ｉにより押圧された給紙コロ３ｃと圧接した給紙ローラ３ｄ等によって密着型イメージセンサ４に搬送され、原稿押圧手段５により原稿Ｓを密着型イメージセンサ４に押圧して密着させつつ順次ライン送りされながら原稿Ｓの画像情報が読み取られる。その後、原稿Ｓは押圧バネ３ｉにより押圧された排紙コロ３ｅと圧接した排紙ローラ３ｆ等によって共用排出トレイ１９に排出されるようになっている。この間、原稿Ｓは上原稿ガイド６と下原稿ガイド７によりガイドされる。
【００４３】
更に、原稿排紙後は、逆転動作を行い、ストッパ３３を初期化すると共に、一枚送りのときは、分離パッド３ｂの圧解除レバー３１の初期化も合わせて行っている。
【００４４】
本実施形態によれば、上述したように、開放源付き給紙コロ３ｃの正逆回転によりストッパ３３の規制位置や規制解除位置への切り換えを行うように構成すると共に、圧解除レバー３１により分離パッド３ｂを圧解除位置へ移動し、一枚の原稿送りが終了した後に、前記分離パッド３ｂを圧接位置に戻すために、前記圧解除レバー３１が前記ストッパ３３の切り換えに連動して元の位置である初期位置（分離パッド３ｂの圧接位置）へ自動復帰するように構成したので、圧解除レバー３１による分離パッド３ｂの圧解除状態で行われる原稿Ｓの一枚送りが終了した後の、該分離パッド３ｂの圧接位置への戻し忘れを防止することができ、該戻し忘れを原因とする原稿の搬送不良等の不具合を防止することができ、装置の使い勝手、品質が飛躍的に向上する。
【００４５】
〔他の実施形態〕
前述した実施形態では、画像形成装置としてファクシミリ装置を例示したが、本発明はこれに限定されるものではなく、例えば複写機、プリンタ等の他の画像形成装置、スキャナ等の画像読取装置、或いはこれらの機能を適宜組み合わせて有する複合機タイプの画像形成装置であっても良く、該画像形成装置や画像読取装置におけるシート材給送装置に本発明を適用することにより同様の効果を得ることができる。
【００４６】
また、前述した実施形態では、画像読取装置としての画像読取部における、原稿等の読取対象のシート材を読取手段に一枚ずつ順次給送するシート材給送装置（原稿搬送部）への適用を例示したが、本発明はこれに限定されるものではなく、例えば、記録紙等の記録対象のシート材を記録手段（画像形成手段）に一枚ずつ順次給送するシート材給送装置に適用しても同様の効果を得ることができる。
【００４７】
また前述した実施形態では、記録方式として電子写真方式を例示したが、これに限定されるものではなく、例えばインクジェット方式等の他の記録方式であっても良い。
【００４８】
【発明の効果】
以上説明したように、本発明によれば、簡単且つ低コストな構成で、圧解除手段による分離手段の圧解除状態で行われるシート材の一枚送りが終了した後の、該分離手段の圧接位置への戻し忘れを防止することができ、該戻し忘れを原因とするシート材の搬送不良等の不具合を防止することができ、装置の使い勝手、品質が飛躍的に向上する。
【図面の簡単な説明】
【図１】本発明に係る画像読取部における原稿搬送部の要部斜視図
【図２】本発明に係る画像読取部における原稿搬送部の要部斜視図
【図３】本発明に係る原稿搬送部におけるストッパ部分の構成斜視図
【図４】本発明に係る画像読取部における原稿搬送部の要部構成図
【図５】本発明に係る画像読取部における原稿搬送部の要部構成図
【図６】本発明に係る画像読取部における原稿搬送部の要部構成図
【図７】上原稿ガイドユニットの上面図
【図８】上原稿ガイドユニットの上面図
【図９】本発明に係る原稿搬送部における圧解除レバーの切換部の要部構成図
【図１０】本発明における分離手段の圧接状態を表した断面図
【図１１】本発明における分離手段の圧接解除状態を表した断面図
【図１２】本発明に係るファクシミリ装置の概略構成を示す模式断面図
【符号の説明】
Ｐ        …記録紙
Ｓ        …原稿
１        …装置本体
２        …画像読取部
３        …原稿搬送部
３ａ    …分離ローラ
３ｂ    …分離パッド
３ｃ    …給紙コロ
３ｃａ  …突起
３ｄ    …給紙ローラ
３ｅ    …排紙コロ
３ｆ    …排紙ローラ
３ｈ    …予備圧接アーム
３ｉ    …押圧バネ
３ｊ    …分離パッドホルダ
３ｊａ  …係合部
４        …密着型イメージセンサ
５        …原稿押圧手段
６        …上原稿ガイド
６ａ    …突起部
７        …下原稿ガイド
８        …上面カバー
８ａ    …原稿載置台
８ｂ    …スライダ
１０        …画像記録部
１１        …画像形成部
１１ａ    …感光体ドラム
１１ｂ    …帯電手段
１１ｃ    …現像手段
１１ｄ    …クリーニング手段
１１ｅ    …プロセスカートリッジ
１１ｆ    …転写手段
１２        …記録紙給送部
１２ａ    …分離パッド
１２ｂ    …分離ローラ
１２ｃ    …搬送ローラ
１２ｄ    …搬送コロ
１３        …レーザースキャナ
１３ａ    …レーザービーム発信器
１３ｂ    …ポリゴンミラー
１３ｃ    …折り返しミラー
１４        …定着手段
１５，１６  …排出ローラ対
１７        …搬送ガイド
１８        …記録紙排出台
１９        …共用排出トレイ
２１        …スライダ
２３        …記録紙積載部
３１        …圧解除レバー
３１ａ    …係合部
３１ｂ    …回転中心
３１ｃ    …操作部
３２        …初期化レバー
３２ａ    …アーム部
３２ｂ    …回転中心
３２ｃ    …当接部
３３        …ストッパ
３３ａ    …軸
３３ｂ    …突起
３３ｃ    …アーム部
３４        …バネ
【図１】
0003572000.tif 000002
【図２】
0003572000.tif 000003
【図３】
0003572000.tif 000004
【図４】
0003572000.tif 000005
【図５】
0003572000.tif 000006
【図６】
0003572000.tif 000007
【図７】
0003572000.tif 000008
【図８】
0003572000.tif 000009
【図９】
0003572000.tif 000010
【図１０】
0003572000.tif 000011
【図１１】
0003572000.tif 000012
【図１２】
0003572000.tif 000013